(57)【特許請求の範囲】
【請求項１】
屋内、地下等の比較的狭いエリアで且つ該エリアに分岐を有する歩行路を備えた設備を対象とし、該エリア内歩行路の少なくとも分岐を含む複数箇所に設置されたＩＣチップと、利用者が持つ携帯用端末機とを備え、各ＩＣチップは位置情報が記憶されて携帯用端末機の非接触式のアクセスによって携帯用端末機に非接触式で位置情報を送信するものであり、携帯用端末機はエリアの地図が記憶され地図を表示して地図に記載された行先を選択操作することができるものであってＩＣチップから送信された位置情報を地図上に現在地として表示し、該ＩＣチップは地図に表示される道順に沿って設置され、選択された行先と現在地との間の歩行路の最短路を携帯用端末機に表示された道順として表示し、利用者の歩行途中で強い受信波のみを受信して地図上の現在地を更新するとともに現在地から選択された行先までの道順を表示し利用者が行先に到達した際に現在地の表示と道順の表示とを削除するものであり、選択された行先に最も近接して設置されたＩＣチップは行先の内容を紹介する内容情報も記憶されて携帯用端末機の非接触式のアクセスによって携帯用端末機に非接触式で位置情報とともに内容情報を送信するものであり、携帯用端末機はＩＣチップから送信された内容情報を地図に重ねてまたは地図と切換えて表示するものであることを特徴とする案内システム。
【請求項２】
請求項１の案内システムにおいて、携帯用端末機はエリアの入口において地図と地図に係る操作，動作のプログラムとが入力されるものであることを特徴とする案内システム。
【発明の詳細な説明】
【技術分野】
【０００１】
本発明は、屋内，地下等の比較的狭いエリアに設備されて地理的な案内をする案内システムに係る技術分野に属する。
【背景技術】
【０００２】
最近、ＧＰＳ（Global Positioning System）の構築によって、屋外では人工衛星からの信号を受信して地理的な案内をする案内システムが普及している。然しながら、人工衛星からの信号の受信が困難な屋内，地下等では、コンピュータ間の短距離の無線通信機能を利用した案内システムが汎用されている。
【０００３】
従来、としては、人工衛星からの信号の受信が困難な屋内，地下等における案内システムとしては、例えば、特許文献１に記載のものが知られている。
【０００４】
特許文献１には、利用者が持つ携帯用端末機と、エリアの複数箇所に設置されたアクセスポイントと、携帯用端末機，アクセスポイントとのネットワークを管理するサーバとを備え、携帯用端末機からアクセスポイントを介してサーバに必要な情報を送信し、携帯用端末機にサーバからサーバが選択した行先に係る地図（配置図）を含む情報を送信してもらう案内システムが記載されている。
【０００５】
特許文献１に係る案内システムは、イベント会場等において、紙の案内図に代わって、迅速に行先に係る情報を得ることができるようにしたものである。
【先行技術文献】
【特許文献】
【０００６】
【特許文献１】特開２００６−２３５６９１号公報
【発明の概要】
【発明が解決しようとする課題】
【０００７】
特許文献１に係る案内システムでは、サーバを設置しなければならないため、システム構成が大規模化してしまい常設的な設備にしか適用することができないという問題点がある。
【０００８】
本発明は、このような問題点を考慮してなされたもので、システム構成が小規模で仮設的な設備にも適用することのできる案内システムを提供することを課題とする。
【課題を解決するための手段】
【０００９】
前述の課題を解決するため、本発明に係る案内システムは、特許請求の範囲の各請求項に記載の手段を採用する。
【００１０】
即ち、請求項１では、屋内、地下等の比較的狭いエリアで且つ該エリアに分岐を有する歩行路を備えた設備を対象とし、該エリア内歩行路の少なくとも分岐を含む複数箇所に設置されたＩＣチップと、利用者が持つ携帯用端末機とを備え、各ＩＣチップは位置情報が記憶されて携帯用端末機の非接触式のアクセスによって携帯用端末機に非接触式で位置情報を送信するものであり、携帯用端末機はエリアの地図が記憶され地図を表示して地図に記載された行先を選択操作することができるものであってＩＣチップから送信された位置情報を地図上に現在地として表示し、ＩＣチップは地図に表示される道順に沿って設置され、選択された行先と現在地との間の歩行路の最短路を携帯用端末機に表示された道順として表示し、選択された行先と現在地との間の歩行路の最短路を携帯用端末機に表示された道順として表示し、利用者の歩行途中で強い受信波のみを受信して地図上の現在地を更新するとともに現在地から選択された行先までの道順を表示し利用者が行先に到達した際に現在地の表示と道順の表示とを削除するものであり、選択された行先に最も近接して設置されたＩＣチップは行先の内容を紹介する内容情報も記憶されて携帯用端末機の非接触式のアクセスによって携帯用端末機に非接触式で位置情報とともに内容情報を送信するものであり、携帯用端末機はＩＣチップから送信された内容情報を地図に重ねてまたは地図と切換えて表示するものであることを特徴とする。
【００１１】
この手段では、ＩＣ（Integrated Circuit）チップと携帯用端末機とによってハードウエアが構成されることで、特許文献１に係る案内システムのようなサーバが省略される。また、携帯用端末機において歩行途中で現在地，道順が更新され行先で現在地，道順の表示が削除される。
また、ＩＣチップは地図に表示される道順に沿って設置され、選択された行先と現在地との間の歩行路の最短路を携帯用端末機に表示された道順として表示され、道順を正確に表示すると共に最短路を表示することができる。
また、選択された行先に最も近接して設置されたＩＣチップは行先の内容を紹介する内容情報も記憶されて携帯用端末機の非接触式のアクセスによって携帯用端末機に非接触式で位置情報とともに内容情報を送信するものであり、携帯用端末機はＩＣチップから送信された内容情報を地図に重ねてまたは地図と切換えて表示する。行先の内容を紹介する内容情報が携帯用端末機に表示されることで、エリアの地理的な案内に加えて商業的な案内等が実行される。
【００１２】
また、請求項２では、請求項１の案内システムにおいて、携帯用端末機はエリアの入口において地図と地図に係る操作，動作のプログラムとが入力されるものであることを特徴とする。
【００１３】
この手段では、携帯用端末機にエリアの入口で地図等のソフトウエアが入力されることで、携帯用端末機が複数のエリアで使用が可能になる。
【発明の効果】
【００１４】
本発明に係る案内システムは、ＩＣチップと携帯用端末機とによってハードウエアが構成されることで、特許文献１に係る案内システムのようなサーバが省略されるため、システム構成が小規模で仮設的な設備にも適用することができる効果がある。また、携帯用端末機において歩行途中で現在地，道順が更新され行先で現在地，道順の表示が削除されるため、利用者が行先に到達したことを理解させることができる効果がある。
ＩＣチップが地図に表示される道順に沿って設置されていることで、道順を正確に表示することができるため、エリアの地理的な案内の精度が高くなる効果がある。
行先の内容を紹介する内容情報が携帯用端末機に表示されることで、エリアの地理的な案内に加えて商業的な案内等が実行されるため、エリアの案内が質的，量的に向上される効果がある。
【００１５】
さらに、請求項２として、携帯用端末機にエリアの入口で地図等のソフトウエアが入力されることで、携帯用端末機が複数のエリアで使用が可能になるため、携帯用端末機を汎用化させることができる効果がある。
【図面の簡単な説明】
【００１６】
【図１】本発明に係る案内システムを実施するための形態の設備例を示す斜視図である。
【図２】図１のエリアの地図である。
【図３】図１の使用例の側面図である。
【図４】図１の携帯用端末機の正面図であり、（Ａ），（Ｂ）に異なる表示状況が示されている。
【図５】図１の携帯用端末機の正面図であり、図４とはさらに異なる表示状況が示されている。
【図６】図１のＩＣチップの設置手順のフローチャートである。
【図７】図１の携帯用端末機の操作，動作のフローチャートである。
【発明を実施するための形態】
【００１７】
以下、本発明に係る案内システムを実施するための形態を図面に基づいて説明する。
【００１８】
この形態では、行先Ｔとなる複数のブースが設けられたイベント会場に設備されるものを示してある。
【００１９】
この形態は、図１に示すように、ハードウエアがＩＣチップ１，携帯用端末機２で構成される。
【００２０】
ＩＣチップ１は、ＣＰＵ（Central Processing Unit）とメモリとアンテナとを備え、携帯用端末機２からの無線通信（非接触式のアクセス）によってメモリに記憶されている情報を無線通信で携帯用端末機２に送信することができる機能を備えている。このＩＣチップ１は、鋲形状に形成され床面等に打付けて設置できるようになっている。
【００２１】
ＩＣチップ１のメモリには、位置情報が記憶されている。位置情報は、図２に示すように、多数のブースＢ１〜Ｂ９が配置されたイベント会場であるエリアＡの地図Ｍに入口ＩＮから各ブースＢ１〜Ｂ９を周遊して出口ＯＵＴに至る歩行路Ｒを設定し、歩行路Ｒに沿って選定したＩＣチップ１の各設置箇所の座標的な位置である。このＩＣチップ１の設置箇所としては、歩行路Ｒの少なくとも分岐が選定される。位置情報の内容は、ＧＰＳとの連係や発展的な使用を可能にするため、緯度Ｘ，経度Ｙによる数値で構成される。この位置情報は、各設置箇所に設置されるＩＣチップ１ごとに入力（書込み）されることになる。そして、位置情報が入力された各ＩＣチップ１は、各設置箇所に設置される。
【００２２】
さらに、入口ＩＮに設置されるＩＣチップ１のメモリには、位置情報に加えて、エリアＡの地図Ｍと地図Ｍに係る操作，動作のプログラムとが記憶されている。エリアＡの地図Ｍは、携帯用端末機２に画像として表示される。地図Ｍに係る操作，動作のプログラムは、地図Ｍに記載された行先であるブースＢ１〜Ｂ９を選択して携帯用端末機２に表示された地図Ｍに選択されたことを表示し、ＩＣチップ１から送信された位置情報によって携帯用端末機２に表示された地図Ｍに現在地Ｓ１，Ｓ２，Ｓ３を表示し、選択されたＢ１〜Ｂ９と現在地Ｓ１，Ｓ２，Ｓ３との間の歩行路Ｒの最短路を携帯用端末機２に表示された地図Ｍに道順Ｒ１〜Ｒ３として表示する内容からなる。
【００２３】
また、各ブースＢ１〜Ｂ９に最も近接して設置されるＩＣチップ１には、位置情報に加えて、行先であるブースＢ１〜Ｂ９の内容を紹介する内容情報が記憶されている。
【００２４】
携帯用端末機２は、ＣＰＵとメモリとアンテナと表示部２１と操作部２２とを備え、ＩＣチップ１から無線通信で送信された位置情報，内容情報，地図Ｍに係る操作，動作のプログラムをメモリに記憶させる機能を備えている。表示部２１は、液晶画面で少なくとも静止のイメージを表示することができる機能を備えている。操作部２２は、ＯＮ，ＯＦＦの電源スイッチと行先であるブースＢ１〜Ｂ９を選択するボタン等からなる。この携帯用端末機２は、利用者（イベント会場であるエリアＡへの入場者）Ｐが片手に持って表示部２１を視認し他の片手で操作部２２を操作することができる程度の大きさ，形状に形成される。
【００２５】
この形態では、イベント会場であるエリアＡに入場する際に、利用者Ｐに携帯用端末機２が貸与される。
【００２６】
利用者Ｐは、エリアＡの入口ＩＮで手に持った携帯用端末機２の操作部２２を操作してスイッチをＯＮにする。
【００２７】
スイッチがＯＮとなった携帯用端末機２は、入口ＩＮに設置されているＩＣチップ１ＩＣチップから送信された位置情報とエリアＡの地図Ｍと地図Ｍに係る操作，動作のプログラムと受信してメモリに記憶させる。続いて、携帯用端末機２は、表示部２１にメモリに記憶された地図Ｍを表示するとともに、ＩＣチップ１から送信された位置情報を表示された地図Ｍに現在地Ｓ１として表示する。
【００２８】
この後、利用者Ｐは、携帯用端末機２の操作部２２を操作して、行先であるブースＢ９を選択する。
【００２９】
行先であるブースＢ９が選択された携帯用端末機２は、ブースＢ９の表示の色を変化させる等によって、表示部２１に表示されている地図Ｍにおける存在場所を明確にする表示を行う。そして、地図Ｍに設定されている歩行路Ｒから、ブースＢ９と現在地Ｓ１との間の最短路を道順Ｒ１として表示部２１に表示されている地図Ｍに表示する。
【００３０】
この結果、利用者Ｐは、携帯用端末機２の表示部２１において図４（Ａ）に示すように表示された地図Ｍ，現在地Ｓ１，道順Ｒ１，ブースＢ９に案内され、正確に行先であるブースＢ９に到達することができる。
【００３１】
利用者Ｐの歩行途中では、図３に示すように、順次新しいＩＣチップ１の位置情報が携帯用端末機２が送信される。これに対応して、携帯用端末機２は、図４（Ｂ）に示すように、表示部２１に表示されている現在地Ｓ１，道順Ｒ１を新たな現在地Ｓ２，道順Ｒ２に更新する。なお、携帯用端末機２に受信波のフィルタを設けて強い受信波のみを受信するように設定しておけば、ＩＣチップ１の設置箇所の中間位置で受信するＩＣチップ１の位置情報が混乱してしまうことはない。
【００３２】
利用者Ｐが行先であるブースＢ９に到達すると、携帯用端末機２の表示部２１に表示されている現在地Ｓ２，道順Ｒ２が削除される。従って、利用者Ｐは、行先であるブースＢ９に到達したことを理解することができる。現在地Ｓ２，道順Ｒ２の削除については、各ブースＢ１〜Ｂ９に削除指示の情報が記憶されたＩＣチップ１等を設置しておくことで簡単に実行することができる。
【００３３】
なお、利用者Ｐが行先であるブースＢ９に最も近接して設置されているＩＣチップ１に到達すると、ＩＣチップ１から携帯用端末機２に内容情報が送信される。従って、利用者Ｐは、携帯用端末機２の表示部２１に表示されている地図Ｍに重ねてまたは地図Ｍと切換えて表示することで、ブースＢ９の内容の紹介を受けることができる。即ち、エリアＡの地理的な案内に加えて商業的な案内等が実行されるため、エリアＡの案内が質的，量的に向上される。
【００３４】
ブース９を出た利用者Ｐは、携帯用端末機２の操作部２２を操作して、次の行先であるブースＢ１を選択する。
【００３５】
次の行先であるブースＢ１が選択された携帯用端末機２は、図５に示すように、表示部２１に新たな現在地Ｓ３，道順Ｒ３，ブースＢ１を表示することになる。
【００３６】
この形態によると、エリアＡの地理的案内を実行するためにＩＣチップ１と携帯用端末機２とによってハードウエアが構成され、特許文献１に係る案内システムのようなサーバが省略されるため、システム構成が小規模で仮設的な設備にも適用することができる。もちろん、常設的な設備にも適用することができ、設備コストが低減されるという利点を得ることができる。
【００３７】
さらに、携帯用端末機２に必要時にエリアＡの地図Ｍと地図Ｍに係る操作，動作のプログラムとからなるソフトウエアが入力されるため、他のエリアＡ等での使用が可能になる。従って、携帯用端末機２を汎用化させることができる。
【００３８】
以上、図示した形態の外に、ＩＣチップ１を歩行路Ｒ以外に設置することも可能である。
【００３９】
さらに、最近普及し始めている汎用の携帯用端末機を利用して、インターネットからエリアＡの地図Ｍと地図Ｍに係る操作，動作のプログラムとをダウンロードできるようにすることも可能である。
【産業上の利用可能性】
【００４０】
本発明に係る案内システムは、イベント会場以外の駅構内，地下街等に広範に適用が可能である
【符号の説明】
【００４１】
１            ＩＣチップ
２            携帯用端末機
２１          表示部
２２          操作部
Ａ            エリア
Ｂ１〜Ｂ９    ブース（行先）
Ｍ            地図
Ｐ            利用者
Ｒ            歩行路
Ｒ１〜Ｒ３    道順
Ｓ１〜Ｓ３    現在地
【図１】
0005780745.tif 000002
【図２】
0005780745.tif 000003
【図３】
0005780745.tif 000004
【図４】
0005780745.tif 000005
【図５】
0005780745.tif 000006
【図６】
0005780745.tif 000007
【図７】
0005780745.tif 000008